【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
材料組織学的な埋込材を作製するための、材料組織学的な金型用の、多部分型、好ましくは２部分型アクリル系低温硬化性組成物であって、貯蔵安定性の固体部分と貯蔵安定性の液体部分とを含み、前記部分が、前記部分を一緒に混合する際に重合されて固い塊となる混合物を形成するように動作し、前記固体部分が、ポリマー粉末および開始剤を含み、前記液体部分が、アクリル系モノマーおよび任意選択的に活性化剤または促進剤を含み、前記開始剤成分が、前記アクリル系モノマー成分が環状エステル側基含有の単官能アクリル系モノマーを含むことを特徴とする前記液体部分と混合される際に、前記アクリル系モノマー成分を重合するのに効果的な量で存在し、前記環状エステル側基含有の単官能アクリル系モノマーが、未硬化の前記組成物中の全てのモノマーの７０〜９６％ｗ／ｗを含む多部分型、好ましくは２部分型アクリル系低温硬化性組成物。
【請求項２】
材料組織学的な埋込材を作製するための、材料組織学的な金型用の、多部分型、好ましくは２部分型アクリル系低温硬化性組成物であって、貯蔵安定性の固体部分と貯蔵安定性の液体部分とを含み、前記部分が、前記部分を一緒に混合する際に重合されて固い塊となる混合物を形成するように動作し、前記固体部分が、ポリマー粉末および開始剤を含み、前記液体部分が、アクリル系モノマーおよび任意選択的に活性化剤または促進剤を含み、前記開始剤成分が、前記アクリル系モノマー成分が環状エステル側基含有の単官能アクリル系モノマーを含むことを特徴とする前記液体部分と混合される際に、前記アクリル系モノマー成分を重合するのに効果的な量で存在し、前記液体部分が、単官能モノマーと多官能モノマーとの混合物を含み、前記多官能モノマーが、未硬化の前記組成物中の全てのモノマーの１２〜２２％ｗ／ｗを含む多部分型、好ましくは２部分型アクリル系低温硬化性組成物。
【請求項３】
貯蔵安定性の固体部分と貯蔵安定性の液体部分とを含む多部分型アクリル系組成物の混合により作製される固体の材料組織学的な埋込材であって、前記部分が、前記部分を一緒に混合する際に重合されて固い塊となる混合物を形成するように動作し、前記固体部分が、ポリマー粉末および開始剤を含み、前記液体部分が、アクリル系モノマーおよび任意選択的に活性化剤または促進剤を含み、前記開始剤成分が、前記アクリル系モノマー成分が環状エステル側基含有の単官能アクリル系モノマーを含むことを特徴とする前記液体部分と混合される際に、前記アクリル系モノマー成分を重合するのに効果的な量で存在する固体の材料組織学的な埋込。
【請求項４】
第一容器および第二容器を含む材料組織学的な埋込材を作製する材料組織学的な金型用の、多部分型、好ましくは２部分型低温硬化パックであって、前記第一および第二容器の含量が、請求項１〜３のいずれか１項に記載の固体部分および液体部分それぞれに従う多部分型、好ましくは２部分型低温硬化パック。
【請求項５】
環状エステル側基含有の単官能アクリル系モノマーから少なくとも一部分形成されるアクリル系ポリマーを含む固体材料組織学的な埋込材。
【請求項６】
さらなるポリマーを含み、少なくとも１種のモノマー、一般的にはアクリル系ポリマーを形成する前記環状エステル側基含有の単官能アクリル系モノマーが、前記さらなるポリマーを形成するモノマーに存在しない請求項５に記載の埋込材。
【請求項７】
材料組織学的な成形用組成物を冷間埋込材として使用して、材料組織学的な埋込材を作製するための、前記請求項のいずれか１項に記載の低温硬化性組成物または前記請求項のいずれか１項に記載のパック。
【請求項８】
好適な環状エステル側基含有の単官能アクリル系モノマーが、メタクリレートモノマーであり、前記環状エステル側基含有の単官能アクリル系モノマーが、１種または複数の環状脂肪族エステルメタクリレートモノマーであって、好適には１種または複数のシクロヘキシルメタクリレート、イソボルニルメタクリレート、ジシクロペンテニルメタクリレート、ジヒドロジシクロペンタジエニルメタクリレート、アダマンチルメタクリレート、４−ｔ−ブチルシクロヘキシルメタクリレート、３，３，５−トリメチルシクロヘキシルメタクリレートおよびテトラヒドロフルフリルメタクリレートから選択され、又は１種または複数のシクロヘキシルメタクリレート、イソボルニルメタクリレート、ジシクロペンテニルメタクリレート、ジヒドロジシクロペンタジエニルメタクリレート、アダマンチルメタクリレート、４−ｔ−ブチルシクロヘキシルメタクリレート、および３，３，５−トリメチルシクロヘキシルメタクリレートから選択される前記環状脂肪族エステルメタクリレートモノマー、および／またはアリールエステルメタクリレートモノマーであって１種または複数のベンジルメタクリレート、２−フェノキシエチルメタクリレートおよびフェニルメタクリレートから選択されるアリールエステルメタクリレートモノマーから選択されることが可能であり、前記液体部分に用いる前記単官能モノマーまたは前記アクリル系ポリマーの単官能モノマー残基が、複数の単官能アクリル系モノマーまたはそれらの残基の混合物を含んでもよい、請求項１〜７のいずれか１項に記載の組成物、パック、または埋込材。
【請求項９】
前記環状エステル側基含有の単官能アクリル系モノマーまたはそれらの残基が、前記未硬化組成物中の全てのモノマーまたは前記アクリル系ポリマー中のモノマー残基の１０〜１００％ｗ／ｗを含み、又は、前記未硬化組成物液体部分の全てのモノマーまたは前記アクリル系ポリマー中のモノマー残基の、７０〜９８％ｗ／ｗ、一般的には７０〜９６％ｗ／ｗ、さらに一般的には７５〜９６％ｗ／ｗまたは８０〜９６％ｗ／ｗ、最も一般的には７５〜９０％ｗ／ｗまたは７８〜８８％ｗ／ｗを含んでもよい、請求項３〜１３のいずれか１項に記載の組成物、パック、または埋込材。
【請求項１０】
本明細書に記載される多官能モノマーまたはそれらの残基が、前記未硬化組成物中の全てのモノマーの０〜９０％ｗ／ｗまたは前記アクリル系ポリマー中のモノマー残基の０〜９０％ｗ／ｗを含んでよい請求項３〜９のいずれか１項に記載の組成物、パック、または埋込材。
【請求項１１】
前記液体部分モノマー成分またはアクリル系ポリマーが、単官能モノマーまたはそれらの残基に加えて多官能モノマーまたはそれらの残基を含み、そのような多官能モノマーが、１分子当たり少なくとも２個の重合性二重結合を有し、好適な２官能モノマーが、エチレングリコールジメタクリレート、ヘキサンジオールジメタクリレート、トリプロピレングリコールジメタクリレート、ブタンジオールジメタクリレート、ネオペンチルグリコールジメタクリレート、ジエチレングリコールジメタクリレート、トリエチレングリコールジメタクリレート、ジプロピレングリコールジメタクリレート、アリルメタクリレート、ジビニルベンゼンおよびそれらの置換類似体を含み、３官能モノマーの例が、トリプロピレングリコールトリメタクリレート、トリメチロールプロパントリメタクリレート、ペンタエリトリトールトリメタクリレートを含み、４官能モノマーが、ペンタエリトリトールテトラメタクリレートを含み、および６官能モノマーが、ジペンタエリトリトールヘキサメタクリレートを含み、任意で複数の多官能モノマーの混合物が使用される、請求項１〜１０のいずれか１項に記載の組成物、パック、または埋込材。
【請求項１２】
前記ポリマー粉末またはさらなるポリマーが、概してポリアルキル（アルク）アクリレートもしくは（アルク）アクリル酸のホモポリマー、またはポリアルキル（アルク）アクリレートもしくは（アルク）アクリル酸と１種または複数の他のビニルモノマーとのコポリマーであり、一般的には、前記ポリマー粉末が、メチルメタクリレート、エチルメタクリレート、イソ−ブチルメタクリレートもしくはｎ−ブチルメタクリレートのホモポリマー、またはメチルメタクリレート、エチルメタクリレート、イソ−ブチルメタクリレートもしくはｎ−ブチルメタクリレートと１種または複数の他のビニルモノマーとのコポリマーである請求項１〜１１のいずれか１項に記載の組成物、パック、または埋込材。
【請求項１３】
固体部分の液体部分に対する比、または前記アクリル系ポリマーの前記さらなるポリマーに対する比が、重量で１：２〜４：１の範囲内である請求項１〜１２のいずれか１項に記載の組成物、パック、または埋込材。
【請求項１４】
材料組織学的な埋込材を作製する方法において、
・請求項１〜１３のいずれか１項に記載の固体部分と液体部分を一緒に混合して、液体または半固体ペーストを形成するステップ；
・分析する材料組織学的な試料を収容する金型に、前記液体または半固体ペーストを注ぎ、前記試料を少なくとも部分的に封入するステップ；
・前記液体または半固体ペーストを前記試料の周囲で硬化させるステップ；および
・任意選択的に、分析またはさらなる調製のために、前記埋込済みの材料組織学的な試料を前記金型から離型するステップ
を備える方法。
【請求項１５】
材料組織学的な埋込材を作製する方法において、
・貯蔵安定性の固体部分と貯蔵安定性の液体部分とを一緒に混合して、液体または半固体ペーストを形成し、前記固体部分が、ポリマー粉末と開始剤を含み、前記液体部分が、アクリル系モノマーと任意選択的に活性化剤または促進剤を含み、前記開始剤成分が、前記アクリル系モノマー成分が環状エステル側基含有の単官能アクリル系モノマーを含むことを特徴とする前記液体部分と混合される際に、前記アクリル系モノマー成分を重合するのに効果的な量で存在するステップと、
・分析する材料組織学的な試料を収容する金型に、前記液体または半固体ペーストを注ぎ、前記試料を少なくとも部分的に封入するステップと、
・前記液体または半固体ペーストを前記試料の周りで硬化させて、固い塊を形成するステップと
任意選択的に、分析またはさらなる調製のために、前記埋込済みの材料組織学的な試料を前記金型から離型するステップとを備える方法。